(57)【要約】  本発明は、移動通信基地局のアンテナであって、各々駆動モーターを有して、ＲＥＴ、ＲＡＳ及びＲＡＢのそれぞれの調整のための電気、機械的装置を駆動するＲＥＴ駆動部、ＲＡＳ駆動部及びＲＡＢ駆動部と、基地局本体システムと通信して少なくともＲＥＴ、ＲＡＳ及びＲＡＢ制御のための制御信号を受信してＲＥＴ駆動部、ＲＡＳ駆動部及びＲＡＢ駆動部の駆動を制御する多機能デバイスを有する。
2015534317.tif 000002
【特許請求の範囲】
【請求項１】
移動通信基地局のアンテナであって、
各々駆動モーターを有して、ＲＥＴ（Remote Electrical Tilt）、ＲＡＳ（Remote Azimuth Steering）及びＲＡＢ（Remote Azimuth Beam-width）のそれぞれの調整のための電気、機械的装置を駆動するＲＥＴ駆動部、ＲＡＳ駆動部及びＲＡＢ駆動部と、
基地局本体システムと通信して、前記ＲＥＴ、ＲＡＳ及びＲＡＢ制御のための制御信号を受信して、前記ＲＥＴ駆動部、ＲＡＳ駆動部及びＲＡＢ駆動部の駆動を制御する多機能デバイスと、を含むことを特徴とする基地局のアンテナ。
【請求項２】
前記多機能デバイスは、前記アンテナの下部キャップ上に設置されるＡＩＳＧ（Antenna Interface Standards Group）コネクタを通して外部と接続されるように設置され、前記ＡＩＳＧコネクタを通してＡＩＳＧケーブルを利用して、外部のＤＣ＋ＲＳ４８５信号を受信するように構成されることを特徴とする請求項１に記載の基地局のアンテナ。
【請求項３】
前記基地局のアンテナはマルチバンド構造を有し、
前記ＲＥＴ駆動部、ＲＡＳ駆動部及びＲＡＢ駆動部は、前記マルチバンド構造を有するそれぞれの送受信アンテナ部別に一つずつ複数個設けられ、
前記多機能デバイスは、前記それぞれの送受信アンテナ部別に設けられる複数個の前記駆動部、ＲＡＳ駆動部及びＲＡＢ駆動部の駆動を制御することを特徴とする請求項１に記載の基地局のアンテナ。
【請求項４】
前記多機能デバイスは、前記基地局本体システムとＡＩＳＧ規定によって、前記基地局本体システムを一次装置と見なし、ＨＤＬＣ（High-level Data-Link Control）メッセージを送受信することによって、前記ＲＥＴ、ＲＡＳ及びＲＡＢ制御動作を実行することを特徴とする請求項１に記載の基地局のアンテナ。
【請求項５】
前記多機能デバイスは、
前記一次装置から前記ＨＤＬＣメッセージを受信し、
前記受信したＨＤＬＣメッセージがＩ-フレーム（Information Frame）フォーマットであるかを確認して、該当Ｉ-フレームからプロシージャＩＤを抽出し、
前記抽出したプロシージャＩＤを確認して現在Ｉ-フレームがベンダー定義プロシージャ（vendor specific procedure）として予め設定されたベンダープロシージャに関するものであるか否かを確認し、前記ＲＡＳ又はＲＡＢ制御のための予め設定された情報であるベンダープロシージャコードを確認し、
前記確認したベンダープロシージャコードによって予め設定された前記ＲＡＳ又はＲＡＢ制御動作を実行し、
前記ＲＡＳ又はＲＡＢ制御動作の実行結果を前記一次装置に応答メッセージを通して通知することを特徴とする請求項１に記載の基地局のアンテナ。
【請求項６】
一次装置とＡＩＳＧ（Antenna Interface Standards Group）規定によるＨＤＬＣ（High-level Data-Link Control）メッセージを送受信して制御動作を実行する二次装置である移動通信基地局のアンテナの制御方法であって、
前記一次装置から前記ＨＤＬＣメッセージを受信するステップと、
前記受信したＨＤＬＣメッセージがＩ-フレーム（Information Frame）フォーマットであるか否かを確認して、該当Ｉ-フレームからプロシージャＩＤを抽出するステップと、
前記抽出したプロシージャＩＤを確認して現在Ｉ-フレームがベンダー定義プロシージャ（vendor specific procedure）として予め設定されたベンダープロシージャに関するものであるか否かを確認し、ＲＡＳ又はＲＡＢ制御のための予め設定された情報であるベンダープロシージャコードを確認するステップと、
前記確認したベンダープロシージャコードによって予め設定された前記ＲＡＳ又はＲＡＢ制御動作を実行するステップと、
前記ＲＡＳ又はＲＡＢ制御動作の実行結果を前記一次装置に応答メッセージを通して通知するステップと、を含むことを特徴とする基地局のアンテナの制御方法。
【請求項７】
前記Ｉ-フレームがベンダープロシージャに関することではない場合には、該当プロシージャＩＤがＲＥＴ（Remote Electrical Tilt）制御のために予め設定されたプロシージャＩＤであるか否かを確認するステップと、
前記ＲＥＴ制御のためのプロシージャＩＤと確認される場合には、それに応じてＲＥＴ制御動作を実行することを特徴とする請求項６に記載の基地局のアンテナ制御方法。
【請求項８】
前記ベンダープロシージャに関するフレームは、１オクテットのプロシージャＩＤフィールドと、２オクテットのフレーム長さフィールドと、２オクテットのベンダーコードフィールドと、１オクテットのベンダープロシージャコードフィールドとを含むことを特徴とする請求項６に記載の基地局のアンテナ制御方法。
【請求項９】
前記ベンダープロシージャに関するフレームは、２オクテットの前記ＲＡＢ又は前記ＲＡＳ設定値フィールドをさらに含むことを特徴とする請求項８に記載の基地局のアンテナ制御方法。
【請求項１０】
前記応答メッセージは、正常動作実行を通知するメッセージと、動作実行失敗を通知するメッセージとを含み、
前記正常動作実行を通知するメッセージのフレームは、１オクテットのプロシージャＩＤフィールドと、２オクテットのフレーム長さフィールドと、１オクテットのリターンコードフィールド、２オクテットのベンダーコードフィールドと、１オクテットのベンダープロシージャコードフィールドとを含み、
前記動作実行失敗を通知するメッセージのフレームは、１オクテットのプロシージャＩＤフィールドと、２オクテットのフレーム長さフィールドと、少なくとも１オクテットのリターンコードフィールドとを含むことを特徴とする請求項６に記載の基地局のアンテナ制御方法。
【発明の詳細な説明】
【技術分野】
【０００１】
本発明は移動通信基地局のアンテナに関し、ＡＩＳＧ（Antenna Interface Standards Group）プロトコルが適用されるアンテナ及びその制御方法に関する。
【背景技術】
【０００２】
現在、一般的に使用される移動通信基地局のアンテナは、通常、相互垂直である二つの偏波（通常、Ｘ字偏波）で送信又は受信することができる放射素子が複数個垂直に配列される構造を有する。Ｘ字偏波は、偏波平面が基本的に水平又は垂直平面に対して＋４５゜又は−４５゜の角度で整列される。
【０００３】
この場合に、アンテナには、通常、遠隔で制御可能な電子式のダウンチルト角（down tilt angle）を調整するためのＲＥＴ（Remote Electrical Tilt）装置をはじめ、遠隔で方位角ステアリングを調整するためのＲＡＳ（Remote Azimuth Steering）装置及び遠隔で方位角のビーム幅を調整するためのＲＡＢ（Remote Azimuth Beam-width）装置が設けられることができる。このような装置が設けられるアンテナの例としては、アンフェノーコポーレーションにより先出願された韓国特許公開番号第１０−２０１０−０１２２０９２号に開示されたようなことがある。
【０００４】
上記ＲＥＴ装置、ＲＡＳ装置及びＲＡＢ装置の制御のために、近来に、ＡＩＳＧ（Antenna Interface Standards Group）v2.1.0が提案され、３ＧＰＰ（3rd Generation Partnership Project）プロトコルを通した通信方式も提案されている。
【０００５】
図１を参照すれば、ＡＩＳＧの規格によれば、ＲＥＴ制御は、一次局（primary station）と二次局（secondary station）に大きく区分される。一次局は、マスター部分として基地局本体に設けられることができる、ＭＣＵ２２などの制御信号を送信する部分であり、二次局は、スレーブ（slave）部分として、ＲＥＴ１４とＡＬＤモデム１３のように制御信号を受信して該当制御信号による動作を実行する部分である。移動通信基地局は、通常、建物や地主などのように高い位置に設置されるアンテナシステムと、地上に設置される基地局本体システム及びこれらの間を接続する給電ケーブル（feeder cable）で構成されることができ、上記一次局の部分は基地局本体システムに該当し、二次局の部分はアンテナ装置に該当する。
【０００６】
図１を参照すると、基地局本体部２１は、給電ケーブル通じてＲＦ信号を送信し、ＭＣＵ２２は、ＲＥＴ装備１４を駆動させるためにＤＣ信号とＲＳ４８５通信信号を送信する。上記の二つの部分から送信された信号は、モデム（Bottom ALD modem）２３を通じてＤＣ信号＋ＲＦ信号+ＯＯＫ信号に変換されて合成される。上記の信号は、また給電ケーブルを通じてアンテナの下端まで送信される。アンテナシステムのモデム１３は、ＤＣ信号＋ＯＯＫ信号を選別してＲＥＴ１４に提供することで、ＲＥＴ装備１４が命令を受信するようにサポートする。また、モデム（Top ALD modem）１３は、ＲＦ信号をアンテナ１０の送受信アンテナ部１１、１２に提供する。アンテナ１０の送受信アンテナ部１１、１２で受信された信号は、給電ケーブルを通じて基地局本体部２１に提供される。
【０００７】
図２及び図３には、現在のＡＩＳＧ規定によって、アンテナ１０でＲＥＴ装備１４、ＲＡＳ装備１５、ＲＡＢ装備１６が設置された構造が図示されている。図２では、アンテナ１０の下部キャップ上に設置される複数のＡＩＳＧコネクタを通してＲＥＴ装備１４、ＲＡＳ装備１５、ＲＡＢ装備１６が各々外部と接続されるように設置され、ＲＥＴ装備１４、ＲＡＳ装備１５、ＲＡＢ装備１６の間には、ＡＩＳＧコネクタを通してＡＩＳＧケーブルを利用して、デージーチェーン（daisy chain）方式で接続される。この場合、外部のＤＣ＋ＲＳ４８５信号は、一次的にＲＥＴ装備１４に提供されるように接続されることができる。
【０００８】
図３では、アンテナ１０の下部キャップ上に設置されるＡＩＳＧコネクタを通してＲＥＴ装備１４が接続され、アンテナ１０の函体内部でＲＥＴ装備１４、ＲＡＳ装備１５、ＲＡＢ装備１６がＡＩＳＧケーブルを利用してデージーチェーン方式で接続される構造を有する。
【０００９】
しかし、上記のように、現在のＡＩＳＧ規定によれば、アンテナ１０にＲＥＴ、ＲＡＳ、ＲＡＢ制御のために、それぞれのＲＥＴ装備１４、ＲＡＳ装備１５及びＲＡＢ装備１６が設けられる必要があり、これらの間をＡＩＳＧケーブルを利用して接続しなければならないので、装備設置による費用が増加し、設置空間及び重さによる問題点があった。また、この場合に、それぞれの基地局本体システムにおける各ＲＥＴ装備１４、ＲＡＳ装備１５及びＲＡＢ装備１６別に各々制御信号の送受信手順を実行しなければならないので、通信手順が複雑であった。このような問題点は、デュアル（dual）バンドアンテナ、トリプル（triple）バンド、クワッドバンド（quad-band）アンテナの場合にさらに深刻になる。
【発明の概要】
【発明が解決しようとする課題】
【００１０】
したがって、本発明の目的は、アンテナに設置される制御対象装備を簡略化して、装備設置による費用を減少させ、設置空間及び重さを減らし、基地局本体システムで、より効率的に装備を制御するようにするための移動通信基地局のアンテナ及びその制御方法を提供することにある。
【課題を解決するための手段】
【００１１】
上記した目的を達成するために本発明の特徴によれば、移動通信基地局のアンテナを提供する。上記基地局のアンテナは、各々駆動モーターを有して、ＲＥＴ、ＲＡＳ及びＲＡＢのそれぞれの調整のための電気、機械的装置を駆動するＲＥＴ駆動部、ＲＡＳ駆動部及びＲＡＢ駆動部と、基地局本体システムと通信して少なくともＲＥＴ、ＲＡＳ及びＲＡＢ制御のための制御信号を受信して上記ＲＥＴ駆動部、ＲＡＳ駆動部及びＲＡＢ駆動部の駆動を制御する多機能デバイスと、を有することを特徴とする。
【００１２】
本発明の他の特徴によれば、一次装置とＡＩＳＧ（Antenna Interface Standards Group） 規定によるＨＤＬＣ（High-level Data-Link Control）メッセージを送受信して制御動作を実行する二次装置である移動通信基地局のアンテナの制御方法を提供する。上記方法は、上記一次装置から上記ＨＤＬＣメッセージを受信するステップと、上記受信したＨＤＬＣメッセージがＩ-フレームフォーマットであるか否かを確認して、該当Ｉ-フレーム（Information Frame：Ｉ−Frame） からプロシージャＩＤを抽出するステップと、上記抽出したプロシージャＩＤ（Procedure ID）を確認して現在Ｉ-フレームがベンダー定義プロシージャ（Vendor Specific Procedure）として予め設定されたベンダープロシージャに関するものであるか否かを確認し、ＲＡＳ（Remote Azimuth Steering） 又はＲＡＢ（Remote Azimuth Beamwidth）制御のための予め設定された情報であるベンダープロシージャコード（vendor procedure code）、を確認するステップと、上記確認したベンダープロシージャコードによって予め設定された上記ＲＡＳ又はＲＡＢ制御動作を実行するステップと、上記ＲＡＳ又はＲＡＢ制御動作の実行結果を上記一次装置に応答メッセージを通して通知するステップと、を含むことを特徴とする。
【発明の効果】
【００１３】
上記した通り、本発明による移動通信基地局のアンテナは、アンテナに設置される制御対象装備を簡略化して、装備設置による費用を減少し、設置空間及び重さを減し、基地局本体システムでより効率的に装備を制御することができるようにする。
【図面の簡単な説明】
【００１４】
【図１】従来の移動通信基地局のアンテナのＲＥＴ制御のためのブロック構成の一例を示す図である。
【図２】従来の移動通信基地局のアンテナのＲＥＴ、ＲＡＳ、ＲＡＢ制御のためのブロック構成の一例を示す図である。
【図３】従来の移動通信基地局のアンテナのＲＥＴ、ＲＡＳ、ＲＡＢ制御のためのブロック構成の他の例を示す図である。
【図４】本発明の一実施形態による移動通信基地局のアンテナのＲＥＴ、ＲＡＳ、ＲＡＢ制御のためのブロック構成を例示する図である。
【図５】本発明の他の実施形態による移動通信基地局のアンテナのＲＥＴ、ＲＡＳ、ＲＡＢ制御のためのブロック構成を例示する図である。
【図６】本発明の第１乃至第４の実施形態による移動通信基地局のアンテナの下部キャップに対する従来との比較例を示す図である。
【図７】本発明の第１乃至第４の実施形態による移動通信基地局のアンテナの下部キャップに対する従来との比較例を示す図である。
【図８】本発明の第１乃至第４の実施形態による移動通信基地局のアンテナの下部キャップに対する従来との比較例を示す図である。
【図９】本発明の第１乃至第４の実施形態による移動通信基地局のアンテナの下部キャップに対する従来との比較例を示す図である。
【図１０】本発明の一実施形態による移動通信基地局のアンテナ制御のための信号フローチャートである。
【図１１Ａ】本発明の一実施形態による基地局のアンテナのＲＡＳ制御のための一次装置及び二次装置間の伝送フレームのフォーマットを例示する図である。
【図１１Ｂ】本発明の一実施形態による基地局のアンテナのＲＡＳ制御のための一次装置及び二次装置間の伝送フレームのフォーマットを例示する図である。
【図１２Ａ】本発明の一実施形態による基地局のアンテナのＲＡＢ制御のための一次装置及び二次装置間の伝送フレームのフォーマットを例示する図である。
【図１２Ｂ】本発明の一実施形態による基地局のアンテナのＲＡＢ制御のための一次装置及び二次装置間の伝送フレームのフォーマットを例示する図である。
【図１３Ａ】本発明の一実施形態によるシングルバンド構造の基地局のアンテナのＲＥＴ制御のための一次装置及び二次装置間の伝送フレームのフォーマットを例示する図である。
【図１３Ｂ】本発明の一実施形態によるシングルバンド構造の基地局のアンテナのＲＥＴ制御のための一次装置及び二次装置間の伝送フレームのフォーマットを例示する図である。
【図１４Ａ】本発明の一実施形態によるデュアルバンド構造の基地局のアンテナのＲＥＴ制御のための一次装置及び二次装置間の伝送フレームのフォーマットを例示する図である。
【図１４Ｂ】本発明の一実施形態によるデュアルバンド構造の基地局のアンテナのＲＥＴ制御のための一次装置及び二次装置間の伝送フレームのフォーマットを例示する図である。
【発明を実施するための形態】
【００１５】
以下、本発明による好ましい実施形態を添付図面を参照して詳細に説明する。下記説明では具体的な構成素子などのような特定事項が現れているが、これは本発明のより全般的な理解を助けるために提供されるだけであって、このような特定事項が本発明の範囲内で所定の変形や変更ができることは、この技術分野の当業者にとっては明らかである。
【００１６】
図４は、本発明の一実施形態による移動通信基地局のアンテナのＲＥＴ、ＲＡＳ、ＲＡＢ制御のためのブロック構成の例を示す図であって、送受信アンテナ部３１、３２が設けられるシングルバンドアンテナ３０の場合を示す。図４を参照すれば、本発明の一実施形態による移動通信基地局のアンテナ３０には、各々駆動モーターを有して、ＲＥＴ、ＲＡＳ及びＲＡＢのそれぞれの調整のための電気、機械的装置を駆動するＲＥＴ駆動部３４１、ＲＡＳ駆動部３４２及びＲＡＢ駆動部３４３と、基地局本体システム（図示せず）と通信して少なくともＲＥＴ、ＲＡＳ及びＲＡＢ制御のための制御信号を受信してＲＥＴ駆動部３４１、ＲＡＳ駆動部３４２及びＲＡＢ駆動部３４３の駆動を制御する多機能デバイス（multifunctional device）３４と、が含まれる。
【００１７】
多機能デバイス３４は、アンテナ３０の下部キャップ上に設置されるＡＩＳＧコネクタを通して外部と接続されるように設置され、ＡＩＳＧコネクタを通してＡＩＳＧケーブルを利用して、外部のＤＣ＋ＲＳ４８５信号を受信するように構成される。
【００１８】
図５は、本発明の他の実施形態による移動通信基地局のアンテナのＲＥＴ、ＲＡＳ、ＲＡＢ制御のためのブロック構成を例示する図であり、送受信アンテナ部が二つのバンド別に各々１ペアずつ（総４個）設けられるデュアルバンドアンテナ４０の場合を示す。すなわち、第１のバンドの送受信アンテナ部を有する第１のアンテナ＃１と、第２のバンドの送受信アンテナ部を有する第２のアンテナ＃２が設けられ、図５では説明の便宜のために送受信アンテナ部に対する図示は省略した。
【００１９】
図５を参照すれば、本発明の他の実施形態による移動通信基地局のアンテナ４０には、第１のアンテナ＃１のＲＥＴ、ＲＡＳ及びＲＡＢのそれぞれの調整のための電気、機械的装置を駆動するＲＥＴ駆動部４４１、ＲＡＳ駆動部４４２及びＲＡＢ駆動部４４３と、第２のアンテナ＃２のＲＥＴ、ＲＡＳ及びＲＡＢのそれぞれの調整のための電気、機械的装置を駆動するＲＥＴ駆動部４４５、ＲＡＳ駆動部４４６及びＲＡＢ駆動部４４７とが設けられる。また、この場合、本発明による多機能デバイス４４は、基地局本体システム（図示せず）と通信してＲＥＴ、ＲＡＳ及びＲＡＢ制御のための制御信号を受信して、第１のアンテナ＃１及び第２のアンテナ＃２のＲＥＴ駆動部４４１、４４５、ＲＡＳ駆動部４４２、４４６及びＲＡＢ駆動部４４３、４４７の駆動を制御する。
【００２０】
多機能デバイス４４は、アンテナ４０の下部キャップ上に設置されるＡＩＳＧコネクタを通して外部と接続されるように設置され、ＡＩＳＧコネクタを通してＡＩＳＧケーブルを利用して、外部のＤＣ＋ＲＳ４８５信号を受信するように構成される。
【００２１】
図３及び図４に示されたように、本発明によるアンテナでは、一つの多機能デバイスのみを使用して、チルト、ステアリング、ビーム幅調整を実行するので、従来の３種類の装備のそれぞれが必要なく、設置空間を減らし、設置費用を節減できる。さらに、デュアルバンドアンテナをはじめ、トリプルバンドアンテナではさらに効率的である。また、従来のＲＥＴ、ＲＡＳ、ＲＡＢ装備をデージーチェーン方式で接続することに比べて、ＡＩＳＧケーブルの数が減少するので、それだけの費用を節減できる。もちろん、この場合にもデュアルバンドアンテナをはじめ、トリプルバンドアンテナではさらに費用が節減される。
【００２２】
図６乃至図９は、本発明の第１乃至第４の実施形態による移動通信基地局のアンテナの下部キャップに対する従来との比較例を示す図であり、図６乃至図９には、各々シングルバンドアンテナ、デュアルバンドアンテナ、トリプルバンドアンテナ及びクワッドバンドアンテナの例が図示される。また図６乃至図９の（ａ）、（ｂ）のそれぞれには、従来のアンテナ及び下部キャップの構造が図示され、（ｃ）、（ｄ）には、本発明の実施形態によるアンテナ及び下部キャップの構造が図示される。
【００２３】
まず、図６を参照すれば、シングルバンドアンテナの場合、従来と本発明によるアンテナの下部ギャップには、送信及び受信アンテナ部と給電ケーブルを接続するための１ペアのＤＩＮコネクタと、一つのＲＥＴ装備を外部ＡＩＳＧケーブルと接続させるための１ペアのＡＩＳＧコネクタが設けられる。この場合には、従来と本発明によるアンテナの下部キャップの構造は同一でもよい。
【００２４】
しかし、図７乃至図９に図示されるように、デュアルバンドや、トリプル又はクワッドバンドアンテナの場合、従来のアンテナの下部キャップには、ＲＥＴ装備が２個以上設けられるので、送受信アンテナ部のためのＤＩＮコネクタをはじめ、それぞれのＲＥＴ装備別に外部ＡＩＳＧケーブルと接続するためのＡＩＳＧコネクタが設けられる必要があった。また、この場合には、各ＲＥＴ装備をデージーチェーン方式で接続するためのＡＩＳＧケーブルも必要であった。また、図６乃至図９では説明の便宜のために図示しないが、従来に、アンテナにＲＡＳ、ＲＡＢ装備が追加される場合には、これらの間を接続するためのＡＩＳＧケーブルなども必要であたことが分かる。
【００２５】
これに比べて、本発明では下部キャップに一つのＲＥＴ装備（すなわち、多機能デバイス）だけが設けられるので、これを外部ＡＩＳＧケーブルと接続するための１ペアのＡＩＳＧコネクタだけが構成されることが分かる。
【００２６】
図６乃至図９に図示されるように、従来の方式によるＲＥＴ装備を設置する場合は、周波数バンド別に設置アンテナ数が増加するほどＲＥＴ装備の個数が増加されるが、本発明では、ＲＥＴ装備の個数が増えないので、費用節減の効果がある。また、従来に比べてＲＥＴ装備の間を接続するＡＩＳＧケーブルの数が減少されるため、同様に費用が節減される。
【００２７】
また、ＲＥＴ個数が減少されることによって、制御に必要なアドレスの個数も減少される。すなわち、本発明では、一つの多機能デバイスだけを使用して（アドレス個数:同一）多重周波数バンド別に設置されるアンテナを制御できるので、拡張性が容易である。（従来の場合には一つのＲＥＴ装備につき、一つのバンドのアンテナを制御するために拡張性がない。）
【００２８】
また、従来では、ＲＥＴの個数が増えるほどアンテナの下部キャップの可用空間が狭くなる。したがって、ＤＩＮコネクタなどを配置する空間が狭くなるので、結論的にアンテナ下部キャップの面積が広く設計されるしかなく、狭い配置によるＤＩＮ締結の際に干渉を受けるようになる。また、ＡＩＳＧケーブルの個数も増えるので、複数のＡＩＳＧケーブルを接続する際にも問題が発生する。これに比べて本発明では従来と比較して同一アンテナ下部キャップ面積対比、ＤＩＮコネクタ及びＡＩＳＧケーブルの設置が容易である。
【００２９】
図１０は、本発明の一実施形態による移動通信基地局のアンテナ制御のためのフローチャートであり、図１０の一次装置（primary device）は、基地局本体システムのＭＣＵなどに該当し、二次装置（secondary device）は、本発明によるアンテナの多機能デバイスである。図１０を参照すれば、まず、ステップ１００では、一次装置及び二次装置間にＡＩＳＧ規定による初期接続動作を実行し、以後、ステップ１１０では、一次装置から二次装置にＡＩＳＧ規定によるＨＤＬＣ（High-level Data-Link Control）命令（Procedure ＩＤ）のためのＨＤＬＣメッセージを伝送する。それに応じて、二次装置は、ステップ１１２でＨＤＬＣメッセージを受信し、ステップ１１４では、ＨＤＬＣメッセージが、本発明によってＲＥＴ、ＲＡＳ、ＲＡＢ制御のために予め設定されるＩ-フレームフォーマットであるか否かを確認した後、Ｉ-フレームフォーマットである場合には、以後ステップ１１６に進行し、Ｉ-フレームフォーマットではない場合には、ステップ１１５に進行して、それ以外の動作、すなわちシステム管理などのために使用されるＵ-フレーム（Unnumbered Frame：Ｕ−Frame）、又はリンク制御などのために使用されるＳ-フレーム（Supervisory Frame：Ｓ−Frame） 処理動作を実行する。すなわち、本発明の実施形態では、ユーザ情報及び該当ユーザ情報の制御情報を運搬するＩ-フレームを利用してＲＥＴ、ＲＡＳ、ＲＡＢ制御のために命令を伝送する。
【００３０】
ステップ１１６では、Ｉ-フレームからプロシージャＩＤ（procedure ＩＤ）を抽出する。以後、ステップ１２０では、ステップ１１６で抽出したプロシージャＩＤを確認して、現在Ｉ-フレームがベンダー定義プロシージャ（vendor procedure）として予め設定されたベンダープロシージャに関するものであるか否かを確認して、ベンダープロシージャである場合にはステップ１３０に進行し、ベンダープロシージャではない場合には、ステップ１２２に進行する。すなわち、本発明の実施形態では、Ｉ-フレームでＲＡＳ、ＲＡＢ制御であることを示すようにベンダープロシージャＩＤを予め設定し、このようなベンダープロシージャＩＤは、例えばＩＤが‘０ｘ９０’として定められることができる。ステップ１３０では、Ｉ-フレームから本発明の実施形態によってＲＡＳ又はＲＡＢ制御のための予め設定された情報、例えば、ベンダープロシージャコード（Vendor Procedure Code）を確認する。ステップ１３２では、上記確認したベンダープロシージャコードがＲＡＳ制御に関するものであるか否かを確認して、以後ステップ１３４で、上記確認したベンダープロシージャコードによってＲＡＳ駆動部に駆動信号を発生させるなど、ＲＡＳ駆動を制御する。
【００３１】
一方、ステップ１３２で確認したベンダープロシージャコードがＲＡＳ制御ではない場合には、以後ステップ１４０に進行して、ベンダープロシージャコードがＲＡＢ制御に関するものであるか否かを確認し、以後、ステップ１４２では、確認結果によってＲＡＢ駆動部を制御する。
【００３２】
一方、ステップ１４０では、確認したベンダープロシージャコードがＲＡＢ制御ではない場合には、以後ステップ１４４に進行して、指定されていないプロシージャコードとして判定する。この場合には該当プロシージャコードによる動作応答を失敗（FAIL）として判定する。
【００３３】
一方、ステップ１２０でプロシージャＩＤを確認する際に、抽出したプロシージャＩＤがベンダープロシージャＩＤではない場合に進行したステップ１２２では、該当プロシージャＩＤがＲＥＴ制御のために予め設定されたプロシージャＩＤであるか否かを確認する。このようなＲＥＴ制御のためのプロシージャＩＤは、例えばＩＤが‘０ｘ３１’と定められることができる。ステップ１２２でプロシージャＩＤがＲＥＴ制御に該当する場合には、以後ステップ１２４に進行して該当フレームに載せたＲＥＴ駆動情報を確認して、ＲＥＴ駆動部に駆動信号を発生させるなどのＲＥＴ駆動を制御する。この場合、ステップ１２２で、プロシージャＩＤがＲＥＴ制御に該当しない場合には、以後ステップ１２６に進行して該当プロシージャＩＤによる動作を実行する。
【００３４】
上記した各ステップを通して、該当二次装置では一次装置から受信した命令（フレーム）に対する処理動作を実行し、以後ステップ１５０では、ＲＥＴ駆動部、ＲＡＳ駆動部及びＲＡＢ駆動部から制御応答信号を確認するなど、上記した動作の処理結果を確認する。以後ステップ１５２で、二次装置は、一次装置に正常動作が実行されるか否かを通知するＨＤＬＣ応答メッセージを伝送する。
【００３５】
図１１ａ及び図１１ｂは、本発明の一実施形態による基地局のアンテナのＲＡＳ制御のための一次装置及び二次装置間の伝送フレームのフォーマットを例示する図であり、図１１ａは、ＲＡＳ駆動部を初期値に調整するためのキャリブレーション（calibration）制御と関連したフレームを図示し、図１１ｂは、ＲＡＳ駆動部を特定値で駆動するための設定制御と関連したフレームを図示する。
【００３６】
まず、図１１ａを参照すれば、図１１ａの（ａ）には、一次装置から二次装置に伝送されるＲＡＳキャリブレーション命令に該当するフレームフォーマットの例が図示されている。図１１ａの（ａ）に図示されるように、該当フレームは、１オクテット （octet） のプロシージャＩＤフィールド（procedure ID field）と、２オクテットのフレーム長さフィールド（Length low, Length high）と、２オクテットのベンダーコードフィールド（vendor code fields）と、１オクテットのベンダープロシージャコードフィールド（ＶＰＣ）などを含めて定められることができる。
【００３７】
プロシージャＩＤフィールドの値は、例えば、‘Unsigned integer’タイプとして‘０ｘ９０’に設定され、本フレームであるベンダー定義プロシージャに関することを示す。ベンダーコードは、該当ベンダーを識別するために予め各ベンダー別に付与されたコードであり、例えば、ＡＳＣＩＩコードタイプとして‘ＫＭ’を示す‘０ｘ４Ｂ，０ｘ４Ｄ’に設定されることができる。ベンダープロシージャコードは、例えば、‘０ｘ３１’に設定されることができるが、これは本発明の実施形態によって、ＲＡＳキャリブレーション命令を意味することに設定されることができる。２オクテットのフレーム長さフィールドは、該当フレーム長さフィールド後段のデータオクテット長さが３オクテットであるため、‘０ｘ０３，０ｘ００’に設定されることが図示される。
【００３８】
図１１ａの（ｂ）、（ｃ）には、二次装置から一次装置へのＲＡＳキャリブレーション命令の実行による応答メッセージに該当するフレームフォーマットの例が図示され、図１１ａの（ｂ）は、正常動作実行を通知するメッセージに該当し、図１１ａの（ｃ）は動作実行失敗を通知するメッセージに該当する。図１１ａの（ｂ）に図示されるように、ＲＡＳキャリブレーション命令に対する正常動作実行を通知するためのフレームは、１オクテットのプロシージャＩＤフィールドと、２オクテットのフレーム長さフィールドと、１オクテットのリターンコードフィールド、２オクテットのベンダーコードフィールドと、１オクテットのベンダープロシージャコードフィールドを含めて定められることができる。
【００３９】
プロシージャＩＤフィールドの値、ベンダーコード、ベンダープロシージャコードは、図１１ａの（ａ）のように、各々‘０ｘ９０’，‘０ｘ４Ｂ，０ｘ４Ｄ’， ‘０ｘ３１’に設定されることができ、この場合、リターンコードフィールドが例えば、正常動作実行を示す‘０ｘ００’に設定されることができる。
【００４０】
図１１ａの（ｃ）を参照すれば、ＲＡＳキャリブレーション命令に対する動作実行失敗を通知するためのフレームは、１オクテットのプロシージャＩＤフィールドと、２オクテットのフレーム長さフィールドと、少なくとも１オクテットのリターンコードフィールドを含むことができる。この他にも１オクテットのベンダープロシージャコードフィールド（図示せず）を必要によってさらに含むこともできる。
【００４１】
プロシージャＩＤフィールドの値は、図１１ａの（ａ）のように‘０ｘ９０’と定められ、この場合、リターンコードフィールドは、例えば、動作実行失敗を示す１オクテットの‘０ｘ０Ｂ’を含む。追加でリターンコードフィールドには、動作実行失敗に対するより詳細な情報を示すための少なくとも一つ以上のオクテットの値がさらに設定されることができるが、図１１ａの（ｃ）の例では、例えば、サポートされないプロシージャであることを示す‘０ｘ２５’に設定されることが図示されている。
【００４２】
次に、図１１ｂを参照すれば、図１１ｂの（ａ）には、一次装置から二次装置に伝送されるＲＡＳ設定（set）命令に該当するフレームフォーマットの例が図示されている。図１１ｂの（ａ）に図示されるように、該当フレームは、図１１ａの（ａ）と同様に、１オクテットのプロシージャＩＤフィールドと、２オクテットのフレーム長さフィールドと、２オクテットのベンダーコードフィールドと、１オクテットのベンダープロシージャコードフィールド（ＶＰＣ）及び２オクテットのＲＡＳ設定値フィールドを含めて定められることができる。
【００４３】
プロシージャＩＤフィールドの値、ベンダーコード、ベンダープロシージャコードは、図１１ａの（ａ）のように、各々‘０ｘ９０’，‘０ｘ４Ｂ，０ｘ４Ｄ’，‘０ｘ３１’に設定されることができる。この場合、ベンダープロシージャコードは、例えば、‘０ｘ３３’に設定されることができるが、これは本発明の実施形態によって、ＲＡＳ設定命令を意味することに定められてもよい。ＲＡＳ設定値は、例えば、５.０度にＲＡＳ駆動動作を設定するために、‘０ｘ３２，０ｘ００’に設定されてもよい。
【００４４】
図１１ｂの（ｂ）、（ｃ）には、二次装置から一次装置へのＲＡＳ設定命令実行による応答メッセージに該当するフレームフォーマットの例が図示され、図１１ｂの（ｂ）は正常動作実行を通知するメッセージに該当し、図１１ｂの（ｃ）は、動作実行失敗を通知するメッセージに該当する。図１１ｂの（ｂ）に図示されるように、ＲＡＳ設定命令に対する正常動作実行を通知するためのフレームは、１オクテットのプロシージャＩＤフィールドと、２オクテットのフレーム長さフィールドと、１オクテットのリターンコードフィールドと、２オクテットのベンダーコードフィールドと、１オクテットのベンダープロシージャコードフィールド及び２オクテットのＲＡＳ設定値フィールドを含めて定められることができる。
【００４５】
プロシージャＩＤフィールドの値、ベンダーコード、ベンダープロシージャコード及びＲＡＳ設定値は、図１１ｂの（ｂ）のように、各々‘０ｘ９０’，‘０ｘ４Ｂ，０ｘ４Ｄ’，‘０ｘ３３’，‘０ｘ３２，０ｘ００’に設定されることができ、この場合、リターンコードフィールドが例えば、正常動作実行（ＯＫ）を示す‘０ｘ００’に設定されることができる。
【００４６】
図１１ｂの（ｃ）を参照すれば、ＲＡＳ設定命令に対する動作実行失敗を通知するためのフレームは、１オクテットのプロシージャＩＤフィールドと、２オクテットのフレーム長さフィールドと、少なくとも１オクテットのリターンコードフィールドを含むことができる。この他にも１オクテットのベンダープロシージャコードフィールド（図示せず）をさらに含むこともできる。
【００４７】
プロシージャＩＤフィールドの値は、図１１ｂの（ａ）のように‘０ｘ９０’と定められ、この場合、リターンコードフィールドは、例えば、動作実行失敗（FAIL）を示す１オクテットの‘０ｘ０Ｂ’を含む。追加で、リターンコードフィールドには、動作実行失敗に対するより詳細な情報を示すための１オクテットの値がさらに設定されることができるが、図１１ｂの（ｃ）の例では、例えば、駆動器固着（jam）状態を示す‘０ｘ０３’に設定されることが図示されている。
【００４８】
図１２ａ及び図１２ｂは、本発明の一実施形態による基地局のアンテナのＲＡＢ制御のための一次装置及び二次装置間の伝送フレームのフォーマットを示す図であり、図１２ａはＲＡＢ駆動部を初期値に調整するためのキャリブレーション制御と関連したフレームを示し、図１２ｂは、ＲＡＢ駆動部を特定値で駆動するための設定制御と関連したフレームを示す。
【００４９】
まず、図１２ａを参照すれば、図１２ａの（ａ）には一次装置から二次装置に伝送されるＲＡＢキャリブレーション命令に該当するフレームフォーマットの例が図示されている。図１２ａの（ａ）に図示されるように、該当フレームは、１オクテットのプロシージャＩＤフィールドと、２オクテットのフレーム長さフィールドと、２オクテットのベンダーコードフィールドと、１オクテットのベンダープロシージャコードフィールドなどを含めて定められることができる。
【００５０】
各フレームの値は、図１１ａの（ａ）に図示されるようなＲＡＳキャリブレーション命令に該当するフレームとほぼ同一であるが、ベンダープロシージャコードは、例えば、‘０ｘ７１’に設定されることができ、これは本発明の実施形態によって、ＲＡＢキャリブレーション命令を意味することに設定されることができる。
【００５１】
図１２ａの（ｂ）、（ｃ）には、二次装置から一次装置へのＲＡＢキャリブレーション命令実行による応答メッセージに該当するフレームフォーマットの例が図示され、図１２ａの（ｂ）は、正常動作実行を通知するメッセージに該当し、図１２ａの（ｃ）は、動作実行失敗を通知するメッセージに該当する。図１２ａの（ｂ）に図示されるように、ＲＡＳキャリブレーション命令に対する正常動作実行を通知するためのフレームは、１オクテットのプロシージャＩＤフィールドと、２オクテットのフレーム長さフィールドと、１オクテットのリターンコードフィールド、２オクテットのベンダーコードフィールドと、１オクテットのベンダープロシージャコードフィールドを含めて定められることができる。
【００５２】
各フレームの値は、図１１ａの（ｂ）に図示されるようなＲＡＳキャリブレーション命令に対する応答フレームとほぼ同一であるが、ベンダープロシージャコードは例えば、‘０ｘ６１’‘０ｘ７１’であることが図示されている。
【００５３】
図１２ａの（ｃ）を参照すれば、ＲＡＢキャリブレーション命令に対する動作実行失敗を通知するためのフレームは、１オクテットのプロシージャＩＤフィールドと、２オクテットのフレーム長さフィールドと、少なくとも１オクテットのリターンコードフィールドを含むことができる。この他にも１オクテットのベンダープロシージャコードフィールド（図示せず）をさらに含むこともできる。各フレームの値は、図１１ａの（ｃ）に図示されるようなＲＡＳキャリブレーション命令に対する応答フレームとほぼ同一であり得る。
【００５４】
次に、図１２ｂを参照すれば、図１２ｂの（ａ）には、一次装置から二次装置に伝送されるＲＡＢ設定命令に該当するフレームフォーマットの例が図示されている。図１２ｂの（ａ）に図示されるように、該当フレームは、図１２ａの（ａ）と同様に、１オクテットのプロシージャＩＤフィールドと、２オクテットのフレーム長さフィールドと、２オクテットのベンダーコードフィールドと、１オクテットのベンダープロシージャコードフィールド及び２オクテットのＲＡＢ設定値フィールドを含めて定められることができる。
【００５５】
この場合、ベンダープロシージャコードは、例えば、‘０ｘ７３’に設定されることができるが、これは本発明の実施形態によって、ＲＡＢ設定命令を意味することに定められることができる。ＲＡＢ設定値は、例えば、８.３度にＲＡＢ駆動部の駆動動作を設定するために、‘０ｘ５３，０ｘ００’に設定されることができる。
【００５６】
図１２ｂの（ｂ）、（ｃ）には、二次装置から一次装置へのＲＡＢ設定命令実行による応答メッセージに該当するフレームフォーマットの例が図示され、図１２ｂの（ｂ）は正常動作実行を通知するメッセージに該当し、図１２ｂの（ｃ）は動作実行失敗を通知するメッセージに該当する。図１２ｂの（ｂ）に図示されるように、ＲＡＢ設定命令に対する正常動作実行を通知するためのフレームは、１オクテットのプロシージャＩＤフィールドと、２オクテットのフレーム長さフィールドと、１オクテットのリターンコードフィールドと、２オクテットのベンダーコードフィールドと、１オクテットのベンダープロシージャコードフィールド及び２オクテットのＲＡＢ設定値フィールドを含めて定められることができる。この場合、リターンコードフィールドが例えば、正常動作実行（ＯＫ）を示す‘０ｘ００’に設定されることができる。
【００５７】
図１２ｂの（ｃ）を参照すれば、ＲＡＢ設定命令に対する動作実行失敗を通知するためのフレームは、１オクテットのプロシージャＩＤフィールドと、２オクテットのフレーム長さフィールドと、少なくとも１オクテットのリターンコードフィールドを含むことができる。この場合、リターンコードは動作実行失敗を示す１オクテットの‘０ｘ０Ｂ’を含む。追加でリターンコードフィールドには動作実行失敗に対するより詳細な情報を示すための１オクテットの値がさらに設定されることができるが、図１２ｂの（ｃ）の例では、例えば、キャリブレーション動作が実行されないことを示す‘０ｘ０Ｅ’に設定されることが図示されている。
【００５８】
図１３ａ及び図１３ｂは、本発明の一実施形態によるシングルバンド構造の基地局のアンテナのＲＥＴ制御のための一次装置及び二次装置の間の伝送フレームのフォーマットを例示する図であり、図１３ａはＲＥＴキャリブレーション制御と関連したフレームを図示し、図１３ｂはＲＥＴ設定制御と関連したフレームが図示する。
【００５９】
まず、図１３ａを参照すれば、図１３ａの（ａ）には、一次装置から二次装置に伝送されるＲＥＴキャリブレーション命令に該当するフレームフォーマットの例が図示されている。図１３ａの（ａ）に図示されるように、該当フレームは、１オクテットのプロシージャＩＤフィールドと、２オクテットのフレーム長さフィールドを含めて定められる。この場合、プロシージャＩＤフィールドはＡＩＳＧ規格によって、例えば‘０ｘ３１’に設定されることが図示されている。
【００６０】
図１３ａの（ｂ）、（ｃ）には、二次装置から一次装置へのＲＥＴキャリブレーション命令実行による応答メッセージに該当するフレームフォーマットの例が図示され、図１３ａの（ｂ）は正常動作実行を通知するメッセージに該当し、図１３ａの（ｃ）は、動作実行失敗を通知するメッセージに該当する。図１３ａの（ｂ）に図示されるように、ＲＥＴキャリブレーション命令に対する正常動作実行を通知するためのフレームは、１オクテットのプロシージャＩＤフィールドと、２オクテットのフレーム長さフィールドと、１オクテットのリターンコードフィールドを含めて定められることができる。この場合、リターンコードは正常動作実行を通知するために、例えば‘０ｘ００’に設定されることが図示されている。
【００６１】
図１３ａの（ｃ）を参照すれば、ＲＥＴ設定命令に対する動作実行失敗を通知するためのフレームは、１オクテットのプロシージャＩＤフィールドと、２オクテットのフレーム長さフィールドと、２オクテットのリターンコードフィールドを含むことができる。この場合、リターンコードは、動作実行失敗を示す‘０ｘ０Ｂ’と、動作実行失敗に対する詳細情報、例えば、指定されていないプロシージャであることを示すための‘０ｘ１９’に設定されることが図示されている。
【００６２】
次に、図１３ｂを参照すれば、図１３ｂの（ａ）には、一次装置から二次装置に伝送されるＲＥＴ設定命令に該当するフレームフォーマットの例が図示されている。図１３ｂの（ａ）に図示されるように、該当フレームは、図１３ａの（ａ）と同様に、１オクテットのプロシージャＩＤフィールドと、２オクテットのフレーム長さフィールドと、２オクテットのＲＥＴ設定値フィールドを含めて定められることができる。この場合、プロシージャＩＤフィールドは、例えば、‘０ｘ３３’に設定されることが図示されている。この場合、ＲＥＴ設定値は、例えば、１０.0度にＲＥＴ駆動部の駆動動作を設定するために、‘０ｘ６４，０ｘ００’に設定されることができる。
【００６３】
図１３ｂの（ｂ）、（ｃ）には、二次装置から一次装置へのＲＥＴ設定命令実行による応答メッセージに該当するフレームフォーマットの例が図示され、図１３ｂの（ｂ）は、正常動作実行を通知するメッセージに該当し、図１３ｂの（ｃ）は動作実行失敗を通知するメッセージに該当する。図１３ｂの（ｂ）に図示されるように、ＲＥＴ設定命令に対する正常動作実行を通知するためのフレームは、１オクテットのプロシージャＩＤフィールドと、２オクテットのフレーム長さフィールドと、１オクテットのリターンコードフィールドを含めて定められることができる。この場合、リターンコードフィールドが例えば、正常動作実行を示す‘０ｘ００’に設定されることができる。
【００６４】
図１３ｂの（ｃ）を参照すれば、ＲＥＴ設定命令に対する動作実行失敗を通知するためのフレームは、１オクテットのプロシージャＩＤフィールドと、２オクテットのフレーム長さフィールドと、２オクテットのリターンコードフィールドを含むことができる。この場合、リターンコードは、動作実行失敗を示す‘０ｘ０Ｂ’と、動作実行失敗に対する詳細情報、例えば、キャリブレーション動作が実行されないことを示す‘０ｘ０Ｅ’に設定されることが図示されている。
【００６５】
図１４ａ及び図１４ｂは、本発明の一実施形態によるデュアルバンド基地局のアンテナのＲＥＴ制御のための一次装置及び二次装置間の伝送フレームのフォーマットを例示する図であり、図１４ａは、ＲＥＴキャリブレーション制御と関連したフレームを図示し、図１４ｂはＲＥＴ設定制御と関連したフレームを図示する。
【００６６】
まず、図１４ａを参照すれば、図１４ａの（ａ）には、一次装置から二次装置に伝送されるＲＥＴキャリブレーション命令に該当するフレームフォーマットの例が図示されている。図１４ａの（ａ）に図示されるように、該当フレームは、１オクテットのプロシージャＩＤフィールドと、２オクテットのフレーム長さフィールド及び１オクテットのアンテナ番号フィールドを含めて定められる。この場合、プロシージャＩＤフィールドは、ＡＩＳＧ規格によって、例えば‘０ｘ８０’に設定されることが図示されている。また、この場合、アンテナ番号は、制御対象アンテナが最初のアンテナであることを通知するために例えば‘０ｘ０１’に設定されることができる。
【００６７】
図１４ａの（ｂ）、（ｃ）には、二次装置から一次装置へのＲＥＴキャリブレーション命令実行による応答メッセージに該当するフレームフォーマットの例が図示され、図１４ａの（ｂ）は、正常動作実行を通知するメッセージに該当し、図１４ａの（ｃ）は動作実行失敗を通知するメッセージに該当する。図１４ａの（ｂ）に図示されるように、ＲＥＴキャリブレーション命令に対する正常動作実行を通知するためのフレームは、１オクテットのプロシージャＩＤフィールドと、２オクテットのフレーム長さフィールドと、１オクテットのアンテナ番号フィールドと、１オクテットのリターンコードフィールドを含めて定められることができる。この場合、プロシージャＩＤフィールドはＡＩＳＧ規格によって、例えば‘０ｘ８０’に設定されることが図示されている。また、リターンコードは、正常動作実行を通知するために例えば‘０ｘ００’に設定されることが図示されている。
【００６８】
図１４ａの（ｃ）を参照すれば、ＲＥＴ設定命令に対する動作実行失敗を通知するためのフレームは、１オクテットのプロシージャＩＤフィールドと、２オクテットのフレーム長さフィールドと、１オクテットのアンテナ番号フィールド、２オクテットのリターンコードフィールドを含むことができる。この場合、リターンコードは動作実行失敗を示す‘０ｘ０Ｂ’と、動作実行失敗に対する詳細情報、例えば、駆動器が固着されている状態を示すための‘０ｘ０３’に設定されることが図示されている。
【００６９】
次に、図１４ｂを参照すれば、図１４ｂの（ａ）には、一次装置から二次装置に伝送されるＲＥＴ設定命令に該当するフレームフォーマットの例が図示されている。図１４ｂの（ａ）に図示されるように、該当フレームは、図１４ａの（ａ）と同様に、１オクテットのプロシージャＩＤフィールドと、２オクテットのフレーム長さフィールドと、１オクテットのアンテナ番号フィールドと、２オクテットのＲＥＴ設定値フィールドを含めて定められることができる。この場合、例えば、ＲＥＴ設定値は、例えば、１０.０度にＲＥＴ駆動部の駆動動作を設定するために、‘０ｘ６４，０ｘ００’に設定されることができる。また、この場合、アンテナ番号は、制御対象アンテナが２番目のアンテナであることを通知するために、例えば‘０ｘ０２’に設定されることが図示されている。
【００７０】
図１４ｂの（ｂ）、（ｃ）には、二次装置から一次装置へのＲＥＴ設定命令実行による応答メッセージに該当するフレームフォーマットの例が図示され、図１４ｂの（ｂ）は、正常動作実行を通知するメッセージに該当し、図１４ｂの（ｃ）は、動作実行失敗を通知するメッセージに該当する。図１４ｂの（ｂ）に図示されるように、ＲＥＴ設定命令に対する正常動作実行を通知するためのフレームは、１オクテットのプロシージャＩＤフィールドと、２オクテットのフレーム長さフィールドと、１オクテットのアンテナ番号フィールドと、１オクテットのリターンコードフィールドを含めて定められることができる。この場合、リターンコードフィールドが例えば、正常動作実行を示す‘０ｘ００’に設定されることができる。
【００７１】
図１４ｂの（ｃ）を参照すれば、ＲＥＴ設定命令に対する動作実行失敗を通知するためのフレームは、１オクテットのプロシージャＩＤフィールドと、２オクテットのフレーム長さフィールドと、１オクテットのアンテナ番号フィールドと、２オクテットのリターンコードフィールドを含むことができる。この場合、リターンコードは動作実行失敗を示す‘０ｘ０Ｂ’と、動作実行失敗に対する詳細情報、例えば、駆動範囲超過を示す‘０ｘ１３’に設定されることが図示されている。
【００７２】
上記のように本発明の一実施形態による移動通信基地局のアンテナに対する構成及び動作が行われることができる。一方、上記した本発明の説明では具体的な実施形態に関して説明したが、多様な変形が本発明の範囲を逸脱せずに実施できる。従って、本発明の範囲は説明された実施形態によって定めることではなく、請求範囲と請求範囲と均等なものによって定められるべきである。
【符号の説明】
【００７３】
１０  アンテナ
１１  送受信アンテナ部
１２  送受信アンテナ部
１３  モデム
１４  ＲＥＴ
２１  基地局本体部
２２  ＭＣＵ
２３  モデム
３０  アンテナ
３１  送受信アンテナ部
３２  送受信アンテナ部
３４  多機能デバイス
４０  アンテナ
４４  多機能デバイス
３４１  ＲＥＴ駆動部
３４２  ＲＡＳ駆動部
３４３  ＲＡＢ駆動部
４４１  ＲＥＴ駆動部
４４２  ＲＡＳ駆動部
４４３  ＲＡＢ駆動部
４４５  ＲＥＴ駆動部
４４６  ＲＡＳ駆動部
４４７  ＲＡＢ駆動部
【図１】
2015534317.tif 000003
【図２】
2015534317.tif 000004
【図３】
2015534317.tif 000005
【図４】
2015534317.tif 000006
【図５】
2015534317.tif 000007
【図６】
2015534317.tif 000008
【図７】
2015534317.tif 000009
【図８】
2015534317.tif 000010
【図９】
2015534317.tif 000011
【図１０】
2015534317.tif 000012
【図１１Ａ】
2015534317.tif 000013
【図１１Ｂ】
2015534317.tif 000014
【図１２Ａ】
2015534317.tif 000015
【図１２Ｂ】
2015534317.tif 000016
【図１３Ａ】
2015534317.tif 000017
【図１３Ｂ】
2015534317.tif 000018
【図１４Ａ】
2015534317.tif 000019
【図１４Ｂ】
2015534317.tif 000020
【国際調査報告】
2015534317.tif 000021
2015534317.tif 000022
2015534317.tif 000023
2015534317.tif 000024
2015534317.tif 000025
2015534317.tif 000026
2015534317.tif 000027
2015534317.tif 000028